(57)【要約】本発明の表示装置は、画像情報を表示するための複数の画素を有する表示パネル（２）と、外部から入力される前記画像情報を示す画像信号に応じて、前記複数の画素を駆動する複数の駆動回路（１０）とを備え、前記画像信号は無線信号であり、前記無線信号から前記画像信号の一部を得る複数の無線入力部（２２）を備え、複数の駆動回路（１０）が、無線入力部（２２）により得た前記画像信号の一部に応じて、前記複数の画素の一部を駆動するように構成されている。
2004095406.tif 000002
【特許請求の範囲】
【請求項１】
画像情報を表示するための複数の画素を有する表示パネルと、外部から入力される前記画像情報を示す画像信号に応じて、前記複数の画素を駆動する複数の駆動回路とを備える表示装置において、
前記画像信号は無線信号であり、
前記無線信号から前記画像信号の一部を得る複数の無線入力部を備え、
前記複数の駆動回路が、前記無線入力部により得た前記画像信号の一部に応じて、前記複数の画素の一部を駆動するように構成されていることを特徴とする表示装置。
【請求項２】
前記複数の駆動回路のそれぞれが、前記無線入力部を有しており、当該無線入力部により得た前記画像信号の一部に応じて、前記複数の画素の一部を駆動するように構成されている、請求の範囲第１項に記載の表示装置。
【請求項３】
前記無線信号はＲＦ信号であり、
前記無線入力部は、前記ＲＦ信号を復調するように構成されている、請求の範囲第１項に記載の表示装置。
【請求項４】
前記複数の駆動回路が有する無線入力部のそれぞれは、受信周波数が互いに異なるように構成されている、請求の範囲第３項に記載の表示装置。
【請求項５】
前記駆動回路は、
前記画像信号の一部を記憶する記憶部と、
当該記憶部に記憶された前記画像信号の一部を変調して送信信号を生成する信号送信部と、
当該信号送信部にて生成された送信信号を無線により出力する無線出力部と
を更に備える、請求の範囲第１項に記載の表示装置。
【請求項６】
前記駆動回路のそれぞれには識別情報が割り当てられており、前記無線入力部は、前記識別情報に基づいて、前記無線信号から前記画像信号の一部を得るように構成されている、請求の範囲第２項に記載の表示装置。
【請求項７】
前記駆動回路は、大規模集積回路である、請求の範囲第１項に記載の表示装置。
【請求項８】
前記駆動回路は、薄膜トランジスタを含む薄膜デバイス回路からなる、請求の範囲第１項に記載の表示装置。
【請求項９】
画像情報を表示するための複数の画素を有する表示パネルと、外部から入力される前記画像情報を示す画像信号に応じて、前記複数の画素を駆動する複数の駆動回路とを備える表示装置と、
前記画像信号を無線信号で送信する画像情報処理装置と
を備える情報処理システムにおいて、
前記表示装置は、前記無線信号から前記画像信号の一部を得る複数の無線入力部を備え、
前記複数の駆動回路が、前記無線入力部により得た前記画像信号の一部に応じて、前記複数の画素の一部を駆動するように構成されていることを特徴とする情報処理システム。
【請求項１０】
前記複数の駆動回路のそれぞれが、前記無線入力部を有しており、当該無線入力部により得た前記画像信号の一部に応じて、前記複数の画素の一部を駆動するように構成されている、請求の範囲第９項に記載の情報処理システム。
【請求項１１】
前記画像情報処理装置は、前記無線信号を複数の無線信号に分割して異なる搬送周波数で送信するように構成されており、
前記複数の駆動回路が有する無線入力部のそれぞれは、受信周波数が互いに異なるように構成されている、請求の範囲第１０項に記載の情報処理システム。
【請求項１２】
前記画像情報処理装置は、前記駆動回路を識別するための識別情報を含む無線信号を送信するように構成されており、
前記無線入力部は、前記識別情報に基づいて、前記無線信号から前記画像信号の一部を得るように構成されている、請求の範囲第１０項に記載情報処理システム。
【請求項１３】
外部から入力される前記画像情報を示す画像信号に応じて、画像情報を表示するための画素を駆動する表示装置用の駆動回路において、
前記画像信号は無線信号であり、
前記無線信号から前記画像信号の一部を得る無線入力部を備え、
当該無線入力部により得た前記画像信号の一部に応じて、前記画素を駆動するように構成されていることを特徴とする駆動回路。
【請求項１４】
前記無線信号はＲＦ信号であり、
前記無線入力部は、前記ＲＦ信号を復調するように構成されている、請求の範囲第１３項に記載の駆動回路。
【請求項１５】
受信した無線信号を電力エネルギーに変換する電源部を更に備える、請求の範囲第１３項に記載の駆動回路。
【請求項１６】
前記画像信号の一部を記憶する記憶部と、
当該記憶部に記憶された前記画像信号の一部を変調して送信信号を生成する信号送信部と、
当該信号送信部にて生成された送信信号を無線により出力する無線出力部と
を更に備える、請求の範囲第１３項に記載の駆動回路。
【請求項１７】
識別情報が割り当てられており、前記無線入力部は、前記識別情報に基づいて、前記無線信号から前記画像信号の一部を得るように構成されている、請求の範囲第１３項に記載の駆動回路。
【請求項１８】
薄膜トランジスタを含む薄膜デバイス回路からなる、請求の範囲第１３項に記載の駆動回路。
【発明の詳細な説明】
【技術分野】  本発明は、表示装置用の駆動回路に関し、特に表示品位が高い高解像度のフレキシブルディスプレイ（ペーパーライクディスプレイ）等の表示装置用の駆動回路、及びその駆動回路を備えた表示装置に関する。
【技術背景】
従来、表示装置が備える表示パネル上に画像情報を表示させる場合、一般的には以下のような方法がとられている。まず、外部装置（画像情報処理装置）からの所望の画像情報等が画像信号として有線で表示装置に送られる。このようにして送られた画像信号は、入力信号線を介して、表示装置の表示パネルが有する画素を駆動させる駆動回路（ドライバーＬＳＩ）に入力される。そして、駆動回路がその入力された画像信号に基づいて、画素を駆動することにより、表示パネル上に画像情報が表示される。
また近年、紙のような薄型のフレキシブルディスプレイ又は電子ペーパーとして、例えば電気泳動ディスプレイのような表示装置が研究開発されつつある。表示品位レベルの高いフレキシブルディスプレイを実現するためには、従来の液晶表示装置などよりも、さらに高精細高解像度の表示装置が必要である。そのためには、極めて多くの画素と表示電極又は信号線とを配置した、例えばアクティブマトリックス型の表示装置又はパッシブマトリックス型の表示装置が必要となる。このような表示装置の場合、多くの画素を駆動させるために、信号線又は走査線に接続された駆動回路である半導体チップの数が、従来よりも多くなる。
上述したような高精細高解像度の表示を実現するためには、駆動回路への入力信号線の総数が、例えばＲ（赤色）、Ｇ（緑色）、Ｂ（青色）の各色の画像信号当たり、３０００×（４〜８ビット）本程度それぞれ必要となる。また、この場合、例えば駆動回路を１００チップ実装したとすると、各駆動回路のチップ単位の入力信号線は３０×（４〜８ビット）×Ｒ、Ｇ、Ｂ本となり、個々の駆動回路において多数の入力信号線が必要となる。従って、駆動回路個々の実装が極めて難しくなって扱いにくくなり、表示装置全体としての実装配線も複雑で剛直となってしまうという大きな問題がある。
近年では、ディスプレイが高精細化しているため、このような実装上の課題を避け、入力配線数を減らすために、出力ピン数を増やすことによりドライバーＬＳＩのチップサイズが大型化してきている。ＬＳＩチップはＣＯＧなどでガラスに直接接続することができるが、プラスチック基板などを用いた柔らかいディスプレイの場合、大きなチップを用いると、ＬＳＩが割れたり、実装部が外れてしまったりという問題も生じる。
配線が複雑となることを回避するためには、画像信号の入力が有線ではなく無線で行われることが好ましい。特に、フレキシブルディスプレイの場合、紙の様に扱えて、しかも手軽に書き換えできることが要求されるため、画像信号の入力が無線により行われることが好ましい。
従来、外部装置から表示装置に対して画像信号を無線で送信することにより、外部装置と物理的に切り離した状態で画像情報を表示することができる表示装置として、アンテナ、受信回路、駆動回路、表示パネル、及び電源をそれぞれ個別に配置して接続した表示装置が提案されている（例えば、特許文献１（特開平５−２０２３５８号公報（第２４−２５頁（００７１）、図２、図３）を参照。）。このように構成された表示装置として、外部装置からの無線入力を行うアンテナ／受信回路部の後方に、多数の入力信号線を有する駆動回路を複数個配置したアクティブマトリックス型の液晶表示装置が実用化されている。
第１０図は、従来の無線入力による表示装置の構成を示す概念図である。第１０図において、表示装置８０には外部装置（図示せず）から無線によって画像信号が送られる。送信された画像信号は、アンテナ８１及び受信部８２で受信され、入力信号線８３を介して受信部８２から駆動回路８４へ画像信号が出力される。駆動回路８４は、受け取った画像信号に基づいて表示パネル８５の画素を駆動する。また、別に設けられた電源部８６からは、電源出力線８７を介して、各ハードウェアへ電力が供給されている（特許文献１参照）。
表示パネル８５は、例えばＴＦＴ（スイッチング素子）、画素電極及び配線などが形成されたアレイ基板と、共通電極が形成されたカラーフィルタ基板とを有している。上述したように、このような表示パネル８５の画素が駆動回路８４によって駆動されることにより、画像情報のカラー表示を実現することができる。
以下、駆動回路８４の詳細な構成を説明する。
第１１図は、従来の駆動回路の構成を示す概念図である。なお、第１０図と同一の構成のものに対しては同一の符号を付している。第１１図に示すように、アクティブマトリックス型の表示パネルのソース信号線側のドライバーＬＳＩである駆動回路８４は、タイミング発生回路８８、サンプリングホールド回路８９、及び出力バッファ回路９０が電気的に相互に接続されて構成されている。
駆動回路８４に対しては、入力信号線８３ａを介してＲＧＢ画像信号が入力される。タイミング発生回路８８からのサンプリングクロックに基づいて、入力された１水平走査期間のＲＧＢ画像信号がサンプリングホールド回路８９で順次サンプリングされる。そして、ＲＧＢ画像信号は、１水平走査期間サンプリングされた後に、出力バッファ回路９０で増幅され、第１０図に示す表示パネル８５側の信号線（ソース線）へ出力される。また、電源出力線８７を介して、第１０図の電源部８６から駆動回路８４へ電源電圧が供給される。図示していないが、表示パネル８５側の走査線（ゲート線）には、走査側駆動回路（ゲートドライバーＬＳＩ）により、水平走査信号が出力される。
このような従来の表示装置において、上述したように有線で画像信号が入力される場合と同じような高精細高解像度の表示をするためには、受信部８２に総数３０００×（４〜８ビット）×Ｒ、Ｇ、Ｂ本の入力信号線８３が配線され、かつ、３０×（４〜８ビット）×Ｒ、Ｇ、Ｂ本の多数の入力信号線８３ａを有する駆動回路８４を１００チップ程度配置して実装する必要がある。
しかし、これらの駆動回路８４を個々に実装することは極めて難しくなって扱いにくくなり、表示装置８０全体としての配線も複雑で剛直となる。すなわち、無線入力であるにもかかわらず、有線入力の場合と同様の問題が起きることになる。また、特許文献１に係る表示装置において、無線入力により高表示品位の高精細高解像度の表示をする場合には、高周波数信号を扱うために極めて高速の受信処理回路ＬＳＩが必要となる。この場合、必要な電力が大きくなり、高容量の電源が必要となるという問題もある。
上述の理由のため、フレキシブルディスプレイのような高精細高解像度表示をする表示装置としては、画像情報の入力を有線又は無線の何れで行う場合であっても、その配線ができる限り単純な駆動回路を備え、しかも低電力で動かすことができるものが望まれている。
また、別の従来技術として、非接触で画像情報を得て、その画像情報を表示することが可能な表示部を有する携帯型電子機器が提案されている。例えば、特許文献２（特開２００１−３４４５７８号公報（図１、図２、図９、図１０、図１１））には、アンテナ部及びＲＦ部からなる無線入力／受信部と、マイクロプロセッサ及び受信信号から電力を得る電源部を有するＩＣカードチップ部と、表示用の駆動回路を含めたＣＰＵと、表示装置とをそれぞれ個別に配置接続した、非接触ＩＣカードと表示装置との組み合わせによる携帯型電子機器が提案されている。このように構成された携帯型電子機器は、無線入力による受信信号により電力を得るように構成されており、無線によるデータ授受及びＩＣカード側でのデータ表示を実現することができる。
しかし、特許文献２に係る携帯型電子機器においても、高精細高解像度で表示する場合には、無線入力／受信部、駆動回路、及び表示パネルの配置関係が上述の特許文献１と同じ関係にあり、多数の入力信号線を有する駆動回路を多数個実装する必要がある。また、特許文献２に係る携帯型電子機器の場合、無線入力によるデータ信号から電力を得るため、１箇所の無線入力部のみによって信号を受信し、その信号を電力化している。したがって、このような携帯型電子機器の場合、高精細高解像度表示の表示装置を駆動させるために、無線入力による高容量の電源部を形成することは、実際上困難である。
上述したように、特許文献１や特許文献２では、無線入力部と、受信部と、表示用の駆動回路と、表示パネルとがそれぞれ個別に配置され接続されている。したがって、これらの従来技術を用いて、印刷品位の高い高解像度のフレキシブルディスプレイを実現するためには、多数の入力信号線を有する駆動回路を、従来よりもさらに多数個配置し実装する必要がある。このように駆動回路における入力信号線が多い場合、実装が極めて困難となり、扱いにくくなるという問題があった。
また、フレキシブルディスプレイでは、解像度が高いために、無線による画像信号の入力を行う場合には高速受信処理のＬＳＩ回路が必要になるため、必要な電力が大きくなり、高容量の電源が必要になるという問題があった。
【発明の開示】
本発明はこのような事情に鑑みてなされており、その目的は、入力信号線を設けないことにより容易に実装を行うことが可能となる表示パネル用の駆動回路、及びその駆動回路を備えた表示装置を提供することにある。
この目的を達成するために、本発明に係る表示装置は、画像情報を表示するための複数の画素を有する表示パネルと、外部から入力される前記画像情報を示す画像信号に応じて、前記複数の画素を駆動する複数の駆動回路とを備える表示装置において、前記画像信号は無線信号であり、前記無線信号から前記画像信号の一部を得る複数の無線入力部を備え、前記複数の駆動回路が、前記無線入力部により得た前記画像信号の一部に応じて、前記複数の画素の一部を駆動するように構成されていることを特徴とする。
前記発明に係る表示装置において、前記複数の駆動回路のそれぞれが、前記無線入力部を有しており、当該無線入力部により得た前記画像信号の一部に応じて、前記複数の画素の一部を駆動するように構成されていることが好ましい。
また、前記発明に係る表示装置において、前記無線信号はＲＦ信号であり、前記無線入力部は、前記ＲＦ信号を復調するように構成されていることが好ましい。
また、前記発明に係る表示装置において、前記複数の駆動回路が有する無線入力部のそれぞれは、受信周波数が互いに異なるように構成されていることが好ましい。
また、前記発明に係る表示装置において、前記駆動回路は、前記画像信号の一部を記憶する記憶部と、当該記憶部に記憶された前記画像信号の一部を変調して送信信号を生成する信号送信部と、当該信号送信部にて生成された送信信号を無線により出力する無線出力部とを更に備えることが好ましい。
また、前記発明に係る表示装置において、前記駆動回路のそれぞれには識別情報が割り当てられており、前記無線入力部は、前記識別情報に基づいて、前記無線信号から前記画像信号の一部を得るように構成されていることが好ましい。
また、前記発明に係る表示装置において、前記駆動回路は、大規模集積回路であることが好ましい。
さらに、前記発明に係る表示装置において、前記駆動回路は、薄膜トランジスタを含む薄膜デバイス回路からなることが好ましい。
また、本発明に係る情報処理システムは、画像情報を表示するための複数の画素を有する表示パネルと、外部から入力される前記画像情報を示す画像信号に応じて、前記複数の画素を駆動する複数の駆動回路とを備える表示装置と、前記画像信号を無線信号で送信する画像情報処理装置とを備える情報処理システムにおいて、前記表示装置は、前記無線信号から前記画像信号の一部を得る複数の無線入力部を備え、前記複数の駆動回路が、前記無線入力部により得た前記画像信号の一部に応じて、前記複数の画素の一部を駆動するように構成されていることを特徴とする。
前記発明に係る情報処理システムにおいて、前記複数の駆動回路のそれぞれが、前記無線入力部を有しており、当該無線入力部により得た前記画像信号の一部に応じて、前記複数の画素の一部を駆動するように構成されていることが好ましい。
また、前記発明に係る情報処理システムにおいて、前記画像情報処理装置は、前記無線信号を複数の無線信号に分割して異なる搬送周波数で送信するように構成されており、前記複数の駆動回路が有する無線入力部のそれぞれは、受信周波数が互いに異なるように構成されていることが好ましい。
さらに、前記発明に係る情報処理システムにおいて、前記画像情報処理装置は、前記駆動回路を識別するための識別情報を含む無線信号を送信するように構成されており、前記無線入力部は、前記識別情報に基づいて、前記無線信号から前記画像信号の一部を得るように構成されていることが好ましい。
また、本発明に係る駆動回路は、外部から入力される前記画像情報を示す画像信号に応じて、画像情報を表示するための画素を駆動する表示装置用の駆動回路において、前記画像信号は無線信号であり、前記無線信号から前記画像信号の一部を得る無線入力部を備え、当該無線入力部により得た前記画像信号の一部に応じて、前記画素を駆動するように構成されていることを特徴とする。
前記発明に係る駆動回路において、前記無線信号はＲＦ信号であり、前記無線入力部は、前記ＲＦ信号を復調するように構成されていることが好ましい。
また、前記発明に係る駆動回路において、受信した無線信号を電力エネルギーに変換する電源部を更に備えることが好ましい。
また、前記発明に係る駆動回路において、前記画像信号の一部を記憶する記憶部と、当該記憶部に記憶された前記画像信号の一部を変調して送信信号を生成する信号送信部と、当該信号送信部にて生成された送信信号を無線により出力する無線出力部とを更に備えることが好ましい。
また、前記発明に係る駆動回路において、識別情報が割り当てられており、前記無線入力部は、前記識別情報に基づいて、前記無線信号から前記画像信号の一部を得るように構成されていることが好ましい。
さらに、前記発明に係る駆動回路において、薄膜トランジスタを含む薄膜デバイス回路からなることが好ましい。
本発明の前記目的、他の目的、特徴、及び利点は、添付図面参照の下、以下の好適な実施態様の詳細な説明から明らかにされる。
【図面の簡単な説明】  第１図は、本発明の実施の形態１に係る表示装置の構成を示す概念図である。
第２図は、本発明の実施の形態１に係る表示装置のソースドライバー部が有する駆動回路の構成を示すブロック図である。
第３図は、無線信号受取部及び電源部の詳細な構成を示すブロック図である。
第４図は、本発明の実施の形態１に係る表示装置の他の構成を示す概念図である。
第５図は、本発明の実施の形態１の変形例１に係る表示装置のソースドライバー部が有する駆動回路の一部の構成を示すブロック図である。
第６図は、本発明の実施の形態１の変形例２に係る表示装置のソースドライバー部が有する駆動回路の一部の構成を示すブロック図である。
第７Ａ図は、本発明の実施の形態２に係る表示装置の構成を示す平面図である。
第７Ｂ図は、本発明の実施の形態２に係る表示装置の構成を示す断面図である。
第８図は、本発明の実施の形態２に係る表示装置を備えた情報処理システムの構成を示す概念図である。
第９図は、本発明の実施の形態２に係る表示装置を備えた情報処理システムの他の構成を示す概念図である。
第１０図は、従来の無線入力による表示装置の構成を示す概念図である。
第１１図は、従来の駆動回路の構成を示す概念図である。
第１２図は、低温ポリシリコン技術により作成されたＣＭＯＳトランジスタの構成を示す断面図である。
第１３図は、駆動回路を構成するロジック回路の基本となるインバータの回路図である。
【発明を実施するための最良の形態】  以下、本発明の実施の形態について図面を参照しながら詳細に説明する。
（実施の形態１）
第１図は、本発明の実施の形態１に係る表示装置の構成を示す概念図である。第１図に示すように、表示装置１は、画像情報を表示するアクティブマトリックス型の表示パネル２と、１水平走査期間における画像信号を出力し画素を駆動するソースドライバー部３と、水平走査信号を順次出力するゲートドライバー部４と、クロック信号並びに水平及び垂直同期信号を発生し、ソースドライバー部３及びゲートドライバー部４に対して出力するタイミング制御回路５とから少なくとも構成される。
アレイ基板６と、図示しないカラーフィルタ基板とが対向して配置され、それらアレイ基板６とカラーフィルタ基板との間に、例えばメモリー型表示方式である電気泳動ディスプレイ材料が配置されてなる電気泳動ディスプレイパネルなどが表示パネル２として採用し得る。なお、表示パネル２としては、このような電気泳動ディスプレイパネル以外でも、フレキシブルディスプレイとして用いることができるものであれば良い。
表示パネル２において、ソースドライバー部３に接続された複数の信号線（ソース線）７と、ゲートドライバー部４に接続された走査線（ゲート線）８とが互いに交差するようにして配置されている。図示しないが、その交差点９には、低温ポリシリコン薄膜形成技術などで形成されたＴＦＴ（スイッチング素子）と、透明電極又はＡｌ反射電極などからなる画素電極とが設けられている。このようにして、信号線７及び走査線８で区画された画素毎にスイッチング素子と画素電極とが形成されている。また、図示しないが、アレイ基板６と対向して設けられているカラーフィルタ基板側には共通電極が形成されている。
ソースドライバー部３には、画像情報を示す画像信号の一部であるＲＧＢの各画像信号をそれぞれ出力して画素を駆動する信号側の駆動回路１０が複数個配設されている。本実施の形態では、高精細高解像度表示するため、駆動回路１０として、チップ形状が小さいドライバーＬＳＩ（大規模集積回路）が１００個程度配設されている。なお、これらの駆動回路１０の信号出力端子（図示せず）と対応する信号線７とが結線されている。
ゲートドライバー部４には、走査側の駆動回路（ドライバーＬＳＩ）１１が複数個配置されている。なお、これらの駆動回路１１の走査信号出力端子（図示せず）と対応する走査線８とが結線されている。
このように構成された表示装置１では、タイミング制御回路５が、外部から入力された画像信号に応じて、ソースドライバー部３及びゲートドライバー部４にそれぞれ制御信号を出力する。これにより、ゲートドライバー部４の駆動回路１１が走査線８に走査信号を出力して各画素のスイッチング素子を順次オンさせ、一方、ソースドライバー部３の駆動回路１０がそのタイミングに合わせて信号線７を介して画像信号を各画素に順次入力する。その結果、各画素が駆動され、表示パネル２上に画像情報が表示される。
次に、ソースドライバー部３が有する信号側の駆動回路１０の詳細な構成について説明する。
第２図は、本発明の実施の形態１に係る表示装置１のソースドライバー部３が有する駆動回路１０の構成を示すブロック図である。
第２図に示すように、駆動回路１０は、無線信号Ｒである画像信号を入力するための無線入力部２２及び信号受信部２３を備える無線信号受取部Ａと、無線信号受取部Ａから出力された画像信号を処理する信号処理部２４と、信号処理部２４と接続されたタイミング発生回路２６及び信号出力部２５とを備えている。
また、駆動回路１０は、無線入力部２２と接続されている、後述する電源部３１を備えている。
以上のように構成された駆動回路１０において、無線入力部２２は、外部の装置である画像情報処理装置（図示せず）から、搬送周波数が順次及び／又は並列に変調されて無線信号Ｒで送信されてくる画像情報のＲＦ信号（ラジオ周波数信号）を受信する。この場合、無線入力部２２は、所定の１つの受信周波数にしたがってＲＦ信号の一部を受信し、その受信信号を信号受信部２３に出力する。
信号受信部２３は、無線入力部２２から入力された受信信号を復調し、その復調した信号を、ＲＧＢ画像信号の一部である受信データとして信号処理部２４に出力する。信号処理部２４は入力された受信データを信号処理し、信号データとして信号出力部２５に出力する。
タイミング発生回路２６には、クロック信号端子２７を介して上述したタイミング制御回路５から送られてくる基本クロック信号と、水平、垂直同期信号入力端子２８を介して同じく送られてくる水平、垂直同期信号とが入力される。そして、タイミング発生回路２６からは、同期信号出力端子２９を介して、隣り合う他の駆動回路１０へ同期信号が出力され、さらに信号出力部２５へ出力クロック信号が出力される。この際、信号処理部２４に設けられたサンプリングホールド回路（図示せず）において、タイミング発生回路２６から出力されたクロック信号にしたがい、入力された１水平走査期間の上記受信データを順次サンプリング処理する。その後、このサンプリング処理された受信データが、信号データとして、サンプリングホールド回路から信号出力部２５へ出力される。そして、信号出力部２５に設けられた出力バッファ回路（図示せず）により信号データを増幅する。このようにして増幅された信号データは、信号出力端子３０を介して、表示パネル２に設けられた信号線７に出力される。
また、電源部３１は、無線入力部２２から受信信号を取得し、その受信信号を電源電圧（エネルギー）に変換し、駆動回路１０の内部を動作させるために必要な電力を得る。
以上のように、駆動回路１０は、無線により画像信号の入力を受け付け、表示パネル２に信号データを出力する。
次に、上述したように、無線入力部２２及び信号受信部２３を備えた無線信号受取部Ａと電源部３１との詳細な構成について、第３図を参照しながら説明する。
第３図に示すように、無線信号受取部Ａが備える無線入力部２２は、コイル３２とコンデンサ３４とを備えるアンテナとして構成される。但し、無線入力部２２はこのような構成に限定されるわけではなく、無線入力できる構成であれば良い。この無線入力部２２は、外部の装置である画像情報処理装置から搬送周波数を順次及び／又は並列に変調されて無線で送信されてくる画像情報であるＲＦ信号を検波同調する。
信号受信部２３は、Ａ／Ｄ変換部３５と信号復調部３６とを備えている。無線入力部２２において所定の１つの受信周波数によって得られたアナログ受信信号は、信号受信部２３が備えるＡ／Ｄ変換部３５にてディジタル信号に変換される。そして、そのディジタル信号が信号復調部３６にて復調され、ＲＧＢ画像信号である受信データが得られる。このようにして得られた受信データは、信号受信部２３から信号処理部２４へ出力される。
また、第３図に示すように、無線入力部２２と電源部３１との間には整流回路３７が設けられている。この整流回路３７において、無線入力部２２を介して入力された受信信号が整流され、電源部３１に対して出力される。
電源部３１は、図示しない平滑コンデンサを用いて、無線入力部２２から出力された受信信号を直流電源電圧（ＶＤＤ、ＶＳＳ）としての電力エネルギーに変換し、その電力エネルギーを駆動回路１０内部の各部へ供給する。
なお、電源部３１は、上述したような構成に限定されるわけではなく、無線入力部２２から出力された受信信号を電力エネルギーに変換することができるものであればよい。
このように、駆動回路１０を駆動させるための電力を、駆動回路１０内に設けた電源部３１によって発生させることにより、表示装置１全体に必要な電力を分担して供給することができる。なお、駆動回路１０に対して電力エネルギーを供給する電源部が駆動回路１０内に設けられており、その電源部による電力エネルギーの供給を、電源部３１が補助するような構成であってもよいことは言うまでもない。
以上のように、駆動回路１０は無線により画像信号の入力を行うため、外部装置から出力された画像信号の入力信号線が不要となる。そのため、駆動回路１０の実装が容易となる。その結果、高精細高解像度表示をするペーパーライクの表示装置１において、駆動回路１０の実装部分をコンパクト化することができる。その上、駆動回路１０であるＬＳＩチップが小さい形状となるため割れにくくなり、その結果、表示装置１全体を曲げても表示パネル２の表示不良が発生しにくくなる。
また、各駆動回路１０は、無線入力により表示装置１に必要な画像情報の一部のみをそれぞれ得る。これにより、ソースドライバー部３全体で画像情報のすべてを取得することになる。このように構成した場合、各駆動回路１０が扱う信号周波数を低くすることができるため、高精細高解像度の表示を行わないような従来の駆動回路と同レベルの電力で足りることになる。
上述したように、外部の画像情報処理装置から、搬送周波数を順次及び／又は並列に変調されて無線で送信されてくる画像情報であるＲＦ信号（ラジオ周波数信号）を、各駆動回路１０は、無線入力部２２を用いて互いに異なる受信周波数により受信信号の一部を受信する。そして、各駆動回路１０は、信号受信部２３を用いて、受信信号の一部から画像情報の一部をそれぞれ得て、表示パネル２の信号線７に出力する。そして、ソースドライバー部３の各駆動回路１０からの出力信号と、ゲートドライバー部４の各駆動回路１１からの走査信号とにより、表示パネル２の各画素が駆動され、所望の画像情報の全体が表示パネル２上に表示されることになる。
このように、画像情報の全体を表示するために必要な受信信号を各駆動回路に分割して入力することにより、高精細高解像度表示を低電力で動作させることが可能な表示装置を実現することができる。
本実施の形態の駆動回路１０の場合、無線入力部２２及び画素を駆動する信号出力部２５の両方が１個のＬＳＩに収められている構成であるが、本発明はこのような構成に限られるわけではない。すなわち、例えば、第４図に示すように、少なくとも無線入力部（図示せず）と信号受信部（図示せず）を備えるＬＳＩ８０と、少なくとも信号出力部（図示せず）を備える複数のＬＳＩ８１とが接続されて駆動回路１０が構成されていてもよい。第４図には、１個のＬＳＩ８０及び３個のＬＳＩ８１を１つのブロックとしたブロック単位で駆動回路１０が構成されている例が示されている。このように構成した場合、第１図を参照して説明した構成の場合と比べて配線数は増えるものの、従来のように無線受信回路が１つの場合と比べると配線数は少なく、またブロック毎に分割処理することにより無線回路の負荷が減る効果が得られる。
［変形例１］
第５図は、本発明の実施の形態１の変形例１に係る表示装置のソースドライバー部が有する駆動回路の一部の構成を示すブロック図である。なお、第２図及び第３図に示す本実施の形態の場合と同一の構成のものには同一の符号を付している。
変形例１に係る表示装置において、第１図及び第３図に示す構成と異なるのは、無線入力による駆動回路１０内の無線信号受取部Ａに設けられた信号送信部４１と、信号処理部２４に設けられた記憶部（バッファメモリー）４２と、無線出力部４６とが備えられていることである。
記憶部４２は、信号受信部２３から出力された画像信号データである受信データを記憶する。そして、信号処理部２４内のサンプリングホールド回路４３は、記憶部４２に記憶されている受信データを受けて所定の信号処理を実行する。
信号送信部４１は、信号変調部４４とドライブ４５とを備えている。この信号送信部４１には、信号処理部２４内の記憶部４２から出力された画像信号データが送信データとして入力される。そして、信号送信部４１内の信号変調部４４で入力された送信データを変調し、ドライブ４５で増幅させた送信信号を、アンテナである無線入力部２２と共用とした無線出力部４６から、画像情報の一部として無線出力する。なお、この無線出力部４６は、無線入力部２２と共用とせずに別々に設けても良い。
また、各駆動回路１０には、固有の識別番号等の識別情報が割り当てられており、この固有の識別情報を示すＩＤコードデータを所定の記憶部に記憶している。これにより、画像情報処理装置又は他の表示装置から画像信号を出力するときにＩＤコードデータを併せて出力することにより、画像情報処理装置又は他の表示装置と指定されたＩＤコードデータによって識別される駆動回路１０との間で該当する画像信号を正しく送受信することができるようになる。また、画像情報処理装置からは、指定されたＩＤコードデータによって識別される特定の駆動回路１０のみに画像情報を送信でき、対応する表示画面の一部のみを更新することもできる。これにより、画像の更新に要する時間及び電力を削減することができる。この効果は、特に、電気泳動などの不揮発性の表示方式の場合において顕著である。
［変形例２］
第６図は、本発明の実施の形態１に係る表示装置のソースドライバー部が有する駆動回路の一部の他の構成を示すブロック図である。なお、第５図に示す変形例１の場合と同一の構成のものには同一の符号を付している。
第５図に示すように、変形例１に係る表示装置の駆動回路においては、信号処理部に記憶部が設けられている。これに対して、第６図に示すように、変形例２に係る表示装置の駆動回路においては、無線信号受取部Ａ内に記憶部４２が設けられている。
変形例２に係る表示装置の駆動回路において、信号受信部２３は、画像信号データである受信データを信号処理部２４に出力するとともに、駆動回路１０に設けられた記憶部４２にも記憶させる。
信号送信部４１は、記憶部４２に記憶された画像信号データを送信データとして入力し、変調増幅して無線出力部４６に送信信号を出力する。そして、無線出力部４６から画像情報の一部として送信信号が無線出力される。
以上のように、変形例１及び変形例２に係る表示装置の駆動回路の場合、駆動回路内部に設けられた記憶部に記憶された画像信号データを送信データとして読み出し、画像情報の一部を無線（ＲＦ信号）によって出力することができる。これにより、画像情報処理装置又は他の表示装置に対して、各駆動回路が分担表示する画像情報を無線出力することが可能になる。
なお、上述した本実施の形態において、ソースドライバー部３の駆動回路１０及びゲートドライバー部４の駆動回路１１はＬＳＩ（大規模集積回路）から構成されると説明したが、低温ポリシリコン技術などの薄膜形成プロセスによって、少なくともＴＦＴ（薄膜トランジスタ）などを含む薄膜デバイス回路から構成されるようにしてもよい。この場合、表示装置１における表示パネル２の画素単位ごとに設けられたスイッチング素子であるＴＦＴ、画素電極、及び配線などをアレイ基板６に形成する薄膜形成プロセスにおいて、少なくとも駆動回路１０、１１とアレイ基板６とを一括して作製することができる。
第１２図は、低温ポリシリコン技術により作成されたＣＭＯＳトランジスタの構成を示す断面図である。ＣＭＯＳトランジスタの場合、第１２図に示すとおり、ｐ型トランジスタ１００とｎ型トランジスタ１０１とから構成されている。第１２図に示すように、このＣＭＯＳトランジスタは、ガラスなどの絶縁基板１０２上に、エキシマレーザーアニールで多結晶化したシリコン薄膜にボロンをドープしたソース１０３、ドレイン１０５、燐をドープしたソース１０６、ドレイン１０８、およびチャネル層１０４、１０７が形成されている。また、ｎ型トランジスタ１０１における絶縁基板１０２上には、ドープ量の少ないＬＤＤ領域１０９、１１０が形成されている。その上に窒化シリコンからなるゲート酸化膜１１１，１１２、チタンおよびアルミの積層膜で構成したゲート電極１１３，１１４が積層されている。また、絶縁膜１１５には開口部が設けられており、その開口部にはソース、ドレインの取り出し電極１１６が形成されている。そして、これらを覆うようにして、保護膜１１７，１１８が積層されている。このようなｐ型およびｎ型トランジスタを接続することにより、薄膜トランジスタを含む薄膜デバイス回路からなる本発明に係る駆動回路１０，１１を実現することができる。なお、第１３図には、このようにして実現される駆動回路１０，１１を構成するロジック回路の基本となるインバータの回路図の一例が示されている。
このようにＴＦＴを用いて作製される駆動回路において、液晶ディスプレイ用と同様のトランジスタ及びキャパシタに加えて、ゲート及びソース配線を平面コイル状に形成してインダクタンスを設ければ、上述した本実施の形態に係る表示装置の駆動回路を構成することができる。
ところで、ＴＦＴの場合、シリコンのＬＳＩよりもキャリア移動度が１／５程度と低く、高周波に対応できない欠点がある。しかしながら、本発明の場合、駆動回路を複数設けることにより、処理周波数を低減することができる。したがって、高精細ディスプレイの場合であっても、ＴＦＴを用いたドライバー回路を実現しやすいという利点がある。その結果、外部との接続配線が不要な表示装置を、ＴＦＴプロセスのみで形成することも可能になる。
（実施の形態２）
第７Ａ図は、本発明の実施の形態２に係る表示装置の構成を示す平面図であり、第７Ｂ図は、その構成を示す断面図である。第７Ａ図及び第７Ｂ図に示すように、表示装置６０が備えるアレイ基板６の裏面側に、表示装置用無線入力アンテナ部６１と表示装置用伝下部６２とが設けられている。表示装置用無線入力アンテナ部６１を介して取得された受信信号は、表示装置用電源部６２において電力エネルギー（電源電圧）に変換される。
このように構成された表示装置６０の場合、表示装置用電源部６２から電力の供給又はその補助を受け、駆動回路１０、１１等を動作させることができる。
なお、実施の形態２に係る表示装置の実施の形態１と同様の構成については同一符号を付して説明を省略する。
実施の形態２に係る表示装置６０の場合、表示装置用無線入力アンテナ部６１を介して受信信号を入手し、表示装置用電源部６２にてその受信信号を電源電圧に変換することにより、表示装置６０で不足している電力を補助的に供給するようなことが可能となる。その結果、無線入出力が可能な表示装置を安定して動作させることができる。特に、無線出力する場合には電力消費が大きく動作が不安定になる可能性が高いため、このように表示装置を安定して動作させることの意義は大きいと考えられる。
次に、この実施の形態２に係る表示装置６０を備えた情報処理システムについて説明する。
第８図は、本発明の実施の形態２に係る表示装置６０を備えた情報処理システムの構成を示す概念図である。なお、第８図において、第７図と同様の構成のものについては同一符号を付している。
第８図に示すように、情報処理システム７０は、画像情報処理装置７１と表示装置６０とを備えている。
上述したように、表示装置６０においては、表示装置用電源部６２を用いて電力の供給又はその補助を受け、その電力を利用して駆動回路１０、１１等を動作させる。
ソースドライバー部３が備える各駆動回路１０は、画像情報処理装置７１から搬送周波数ｆ１、ｆ２、…、ｆｎと順次及び／又は並列に変えて変調されて無線で送られてくる画像情報を受信する。説明の便宜上、搬送周波数ｆ１、ｆ２、…、ｆｎで送信される画像情報を受信する駆動回路１０をそれぞれ駆動回路Ｄ１、Ｄ２、…、Ｄｎと表すことにする。駆動回路Ｄ１、Ｄ２、…、Ｄｎからの画像信号である出力信号と、各駆動回路１１からの走査信号により、表示パネル２の各画素が駆動され、所望の画像情報の全体が表示パネル２上に表示される。
このように無線出力が可能な各駆動回路Ｄ１、Ｄ２、…、Ｄｎは、それぞれの内部に設けられた記憶部（図示せず）に記憶された画像信号データを送信データとしてそれぞれ読み出す。そして、各駆動回路Ｄ１、Ｄ２、…、Ｄｎは、送信データを、搬送周波数ｆ１、ｆ２、…、ｆｎにそれぞれ変調し、無線によって画像情報の一部をそれぞれ出力する。これにより、表示装置６０は、画像情報処理装置７１又は別の表示装置に対して、高精細の画像情報の全体又はその一部を送信することができる。
上述したような情報処理システム７０の場合、画像情報処理装置７１と表示装置６０との間で、搬送周波数を順次及び／又は並列に変調して、無線で画像信号を送受信することにより、画像情報処理装置７１と表示装置６０との間での無線による画像情報のやりとりが可能になる。
画像情報処理装置７１は、少なくとも、表示すべき画像情報を生成又は外部から獲得する手段と、無線による画像情報の発信手段とを備えた装置である。例えば、パーソナルコンピュータ、ＰＤＡ等のモバイル機器、及びその他の情報発信装置等の機器が画像情報処理装置７１となり得る。このような画像情報処理装置７１から無線により出力された画像情報を表示装置６０で受信することにより、高精細の画面を、観察者の手元で容易に見ることができる情報処理システム７０を実現することができる。
なお、画像情報処理装置７１と表示装置６０とが、各々独立した機器でなく、同一の機器の構成要素であってもよい。例えば、従来の様々なモバイル機器では、機器の小型化を図るために、例えばディスプレイパネルと他の構成要素との間を電気的に接続するために、折り畳み可能なフレキシブル基板を用いる等している。このような場合、非常に複雑な配線を行わなければならない。そこで、モバイル機器が、表示装置６０と、その表示装置６０に画像情報を送信する画像情報処理装置７１とを備え、これらの表示装置６０と画像情報処理装置７１が無線により画像情報の送受信を行うことにより、複雑な配線を行う必要がなくなる。その結果、機器を小型化することができ、しかも構造が簡略化されることにより低コスト化を図ることも可能になる。
第９図は、本発明の実施の形態２に係る表示装置６０を備えた情報処理システムの他の構成を示す概念図である。なお、第９図において、第７図と同様の構成のものについては同一符号を付している。
第９図に示すように、情報処理システム７０は、複数の画像情報処理装置７１と、複数の表示装置６０とを備えている。各表示装置６０のソースドライバー部が備える各駆動回路１０（上述した場合と同様に駆動回路Ｄ１、Ｄ２、…、Ｄｎと表す）に対しては、固有の識別情報が割り当てられている。各駆動回路Ｄ１、Ｄ２、…、Ｄｎは、その識別情報を示すＩＤコードデータを所定の記憶部に記憶している。
各画像情報処理装置７１はそれぞれ、特定のＩＤコードデータと共に、搬送周波数ｆ１、ｆ２、…、ｆｎと順次及び／又は並列で変えて変調した画像情報を無線で送信する。この場合、各駆動回路Ｄ１、Ｄ２、…、Ｄｎは、予め割り当てられているＩＤコードデータと一致するＩＤコードデータが付された画像情報を受信する。そして、各表示装置６０において、各駆動回路Ｄ１、Ｄ２、…、Ｄｎから出力される画像信号と、各駆動回路１１から出力される走査信号とにしたがって、表示パネル２の各画素が駆動され、所望の高精細高解像度の画像情報の全体が表示パネル２上に表示されることになる。
また、各表示装置６０において、駆動回路Ｄ１、Ｄ２、…、Ｄｎが、それぞれの内部に設けられた記憶部（図示省略）に記憶された画像信号データを送信データとして読み出される。そして、送信データを搬送周波数ｆ１、ｆ２、…、ｆｎに変調し、無線によって画像情報の一部をそれぞれ駆動回路Ｄ１、Ｄ２、…、Ｄｎの固有のＩＤコードデータと共に出力する。これにより、画像情報処理装置７１と表示装置６０との間、及び表示装置６０と他の表示装置６０との間で、高精細の画像情報の全体又はその一部を、誤り無く、正確に送受信することができる。
このように、上述した情報処理システム７０の場合、各表示装置６０の駆動回路１０がそれぞれ固有のＩＤコードデータを有していることにより、各画像情報処理装置や各表示装置との間で、画像信号を誤り無く送受信できるようになる。また、画像情報処理装置からは、指定されたＩＤコードデータによって識別される特定の駆動回路１０のみに画像情報を送信でき、対応する表示画面の一部のみを更新することもできる。これにより、画像の更新に要する時間及び電力を削減することができる。この効果は、特に、電気泳動などの不揮発性の表示方式の場合において顕著である。
なお勿論、上記の方法により、画像情報処理装置又は指定されたＩＤコードデータ以外のＩＤコードデータによって識別される駆動回路若しくはＩＤ群を持つ表示装置との間では、互いに該当する画像情報を送受信不可とし、情報交換をしないように設定することができる。
また、上記で表示装置及び情報処理システムに使用する表示装置用の駆動回路として、無線入出力ができる駆動回路を使用して説明したが、無線入力のみができる駆動回路を使用しても、画像情報が片方向のみに伝達される表示装置及び情報処理システムとして、同様に実施可能である。
なお、以上の各実施の形態に係る表示装置は、無線で変調搬送されたアナログ信号を受信してＡ／Ｄ変換し、その後復調し、ディジタル処理するように構成されていたが、無線で変調搬送されたディジタル信号を受信し、Ａ／Ｄ変換を経ずに、復調し、ディジタル処理するようなディジタル信号方式であってもよい。
また、以上の各実施の形態においては、本発明の表示装置としてアクティブマトリックス型のものを説明したが、パッシブマトリックス型（単純マトリックス型）のものであってもよいことは言うまでもない。
また、以上の各実施の形態においては、フレキシブルディスプレイパネルとして、電気泳動ディスプレイパネル（ＥＰＩＤ）を用いて説明したが、メモリー型表示方式である液相型ＥＰＩＤ、液晶表示パネル（ＬＣＤ）、エレクトロクロミック表示パネル（ＥＣＤ）、及びエレクトロデポジション表示パネル等、並びに非メモリー表示方式である液晶表示パネル（ＬＣＤ）、有機エレクトロルミネッセンス表示パネル（有機ＥＬ）等であってもよい。
さらに、本発明の表示装置は、フレキシブルディスプレイに限定されるわけではなく、従来のＬＣＤ等のガラスのディスプレイであってもよい。
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用の可能性】
本発明に係る駆動回路及び表示装置はそれぞれ、高精細高解像度の表示が要求される表示装置用の駆動回路及びそのような表示装置として有用である。
【図１】
2004095406.tif 000003
【図２】
2004095406.tif 000004
【図３】
2004095406.tif 000005
【図４】
2004095406.tif 000006
【図５】
2004095406.tif 000007
【図６】
2004095406.tif 000008
2004095406.tif 000009
【図８】
2004095406.tif 000010
【図９】
2004095406.tif 000011
【図１０】
2004095406.tif 000012
【図１１】
2004095406.tif 000013
【図１２】
2004095406.tif 000014
【図１３】
2004095406.tif 000015
【手続補正書】
【提出日】平成16年11月12日(2004.11.12)
【手続補正００１】
【補正対象書類名】特許請求の範囲
【補正対象項目名】請求項１
【補正方法】変更
【補正の内容】
【請求項１】画像情報を表示するための複数の画素を有する１枚の表示パネルと、外部から入力される前記画像情報を示す画像信号に応じて、前記複数の画素を駆動する複数の駆動回路とを備える表示装置において、
前記画像信号は無線信号であり、
前記無線信号から前記画像信号の一部を得る複数の無線入力部を備え、
前記複数の駆動回路が、前記無線入力部により得た前記画像信号の一部に応じて、前記複数の画素の一部を駆動するように構成されていることを特徴とする表示装置。


【手続補正００２】
【補正対象書類名】特許請求の範囲
【補正対象項目名】請求項９
【補正方法】変更
【補正の内容】
【請求項９】画像情報を表示するための複数の画素を有する１枚の表示パネルと、外部から入力される前記画像情報を示す画像信号に応じて、前記複数の画素を駆動する複数の駆動回路とを備える表示装置と、
前記画像信号を無線信号で送信する画像情報処理装置と
を備える情報処理システムにおいて、
前記表示装置は、前記無線信号から前記画像信号の一部を得る複数の無線入力部を備え、
前記複数の駆動回路が、前記無線入力部により得た前記画像信号の一部に応じて、前記複数の画素の一部を駆動するように構成されていることを特徴とする情報処理システム。




【手続補正書】
【提出日】平成17年7月25日(2005.7.25)
【手続補正１】
【補正対象書類名】特許請求の範囲
【補正対象項目名】全文
【補正方法】変更
【補正の内容】
【特許請求の範囲】
【請求項１】
画像情報を表示するための複数の画素を有する１枚の表示パネルと、外部から入力される前記画像情報を示す画像信号に応じて、前記複数の画素を駆動する複数の駆動回路とを備える表示装置において、
前記画像信号は無線信号であり、
前記無線信号から前記画像信号の一部を得る複数の無線入力部を備え、
前記複数の駆動回路が、前記無線入力部により得た前記画像信号の一部に応じて、前記複数の画素の一部を駆動するように構成されていることを特徴とする表示装置。
【請求項２】
前記複数の駆動回路のそれぞれが、前記無線入力部を有しており、当該無線入力部により得た前記画像信号の一部に応じて、前記複数の画素の一部を駆動するように構成されている、請求項１に記載の表示装置。
【請求項３】
前記無線信号はＲＦ信号であり、
前記無線入力部は、前記ＲＦ信号を復調するように構成されている、請求項１に記載の表示装置。
【請求項４】
前記複数の駆動回路が有する無線入力部のそれぞれは、受信周波数が互いに異なるように構成されている、請求項３に記載の表示装置。
【請求項５】
前記駆動回路は、
前記画像信号の一部を記憶する記憶部と、
当該記憶部に記憶された前記画像信号の一部を変調して送信信号を生成する信号送信部と、
当該信号送信部にて生成された送信信号を無線により出力する無線出力部と
を更に備える、請求項１に記載の表示装置。
【請求項６】
前記駆動回路のそれぞれには識別情報が割り当てられており、前記無線入力部は、前記識別情報に基づいて、前記無線信号から前記画像信号の一部を得るように構成されている、請求項２に記載の表示装置。
【請求項７】
前記駆動回路は、大規模集積回路である、請求項１に記載の表示装置。
【請求項８】
前記駆動回路は、薄膜トランジスタを含む薄膜デバイス回路からなる、請求項１に記載の表示装置。
【請求項９】
画像情報を表示するための複数の画素を有する１枚の表示パネルと、外部から入力される前記画像情報を示す画像信号に応じて、前記複数の画素を駆動する複数の駆動回路とを備える表示装置と、
前記画像信号を無線信号で送信する画像情報処理装置と
を備える情報処理システムにおいて、
前記表示装置は、前記無線信号から前記画像信号の一部を得る複数の無線入力部を備え、
前記複数の駆動回路が、前記無線入力部により得た前記画像信号の一部に応じて、前記複数の画素の一部を駆動するように構成されていることを特徴とする情報処理システム。
【請求項１０】
前記複数の駆動回路のそれぞれが、前記無線入力部を有しており、当該無線入力部により得た前記画像信号の一部に応じて、前記複数の画素の一部を駆動するように構成されている、請求項９に記載の情報処理システム。
【請求項１１】
前記画像情報処理装置は、前記無線信号を複数の無線信号に分割して異なる搬送周波数で送信するように構成されており、
前記複数の駆動回路が有する無線入力部のそれぞれは、受信周波数が互いに異なるように構成されている、請求項１０に記載の情報処理システム。
【請求項１２】
前記画像情報処理装置は、前記駆動回路を識別するための識別情報を含む無線信号を送信するように構成されており、
前記無線入力部は、前記識別情報に基づいて、前記無線信号から前記画像信号の一部を得るように構成されている、請求項１０に記載情報処理システム。
【請求項１３】
外部から入力される前記画像情報を示す画像信号に応じて、画像情報を表示するための画素を駆動する表示装置用の駆動回路において、
前記画像信号は無線信号であり、
前記無線信号から前記画像信号の一部を得る無線入力部を備え、
当該無線入力部により得た前記画像信号の一部に応じて、前記画素を駆動するように構成されていることを特徴とする駆動回路。
【請求項１４】
前記無線信号はＲＦ信号であり、
前記無線入力部は、前記ＲＦ信号を復調するように構成されている、請求項１３に記載の駆動回路。
【請求項１５】
受信した無線信号を電力エネルギーに変換する電源部を更に備える、請求項１３に記載の駆動回路。
【請求項１６】
前記画像信号の一部を記憶する記憶部と、
当該記憶部に記憶された前記画像信号の一部を変調して送信信号を生成する信号送信部と、
当該信号送信部にて生成された送信信号を無線により出力する無線出力部と
を更に備える、請求項１３に記載の駆動回路。
【請求項１７】
識別情報が割り当てられており、前記無線入力部は、前記識別情報に基づいて、前記無線信号から前記画像信号の一部を得るように構成されている、請求項１３に記載の駆動回路。
【請求項１８】
薄膜トランジスタを含む薄膜デバイス回路からなる、請求項１３に記載の駆動回路。
【手続補正２】
【補正対象書類名】明細書
【補正対象項目名】全文
【補正方法】変更
【補正の内容】
【発明の詳細な説明】
【技術分野】
【０００１】
本発明は、表示装置用の駆動回路に関し、特に表示品位が高い高解像度のフレキシブルディスプレイ（ペーパーライクディスプレイ）等の表示装置用の駆動回路、及びその駆動回路を備えた表示装置に関する。
【背景技術】
【０００２】
従来、表示装置が備える表示パネル上に画像情報を表示させる場合、一般的には以下のような方法がとられている。まず、外部装置（画像情報処理装置）からの所望の画像情報等が画像信号として有線で表示装置に送られる。このようにして送られた画像信号は、入力信号線を介して、表示装置の表示パネルが有する画素を駆動させる駆動回路（ドライバーＬＳＩ）に入力される。そして、駆動回路がその入力された画像信号に基づいて、画素を駆動することにより、表示パネル上に画像情報が表示される。
【０００３】
また近年、紙のような薄型のフレキシブルディスプレイ又は電子ペーパーとして、例えば電気泳動ディスプレイのような表示装置が研究開発されつつある。表示品位レベルの高いフレキシブルディスプレイを実現するためには、従来の液晶表示装置などよりも、さらに高精細高解像度の表示装置が必要である。そのためには、極めて多くの画素と表示電極又は信号線とを配置した、例えばアクティブマトリックス型の表示装置又はパッシブマトリックス型の表示装置が必要となる。このような表示装置の場合、多くの画素を駆動させるために、信号線又は走査線に接続された駆動回路である半導体チップの数が、従来よりも多くなる。
【０００４】
上述したような高精細高解像度の表示を実現するためには、駆動回路への入力信号線の総数が、例えばＲ（赤色）、Ｇ（緑色）、Ｂ（青色）の各色の画像信号当たり、３０００×（４〜８ビット）本程度それぞれ必要となる。また、この場合、例えば駆動回路を１００チップ実装したとすると、各駆動回路のチップ単位の入力信号線は３０×（４〜８ビット）×Ｒ、Ｇ、Ｂ本となり、個々の駆動回路において多数の入力信号線が必要となる。従って、駆動回路個々の実装が極めて難しくなって扱いにくくなり、表示装置全体としての実装配線も複雑で剛直となってしまうという大きな問題がある。
【０００５】
近年では、ディスプレイが高精細化しているため、このような実装上の課題を避け、入力配線数を減らすために、出力ピン数を増やすことによりドライバーＬＳＩのチップサイズが大型化してきている。ＬＳＩチップはCOGなどでガラスに直接接続することができるが、プラスチック基板などを用いた柔らかいディスプレイの場合、大きなチップを用いると、ＬＳＩが割れたり、実装部が外れてしまったりという問題も生じる。
【０００６】
配線が複雑となることを回避するためには、画像信号の入力が有線ではなく無線で行われることが好ましい。特に、フレキシブルディスプレイの場合、紙の様に扱えて、しかも手軽に書き換えできることが要求されるため、画像信号の入力が無線により行われることが好ましい。
【０００７】
従来、外部装置から表示装置に対して画像信号を無線で送信することにより、外部装置と物理的に切り離した状態で画像情報を表示することができる表示装置として、アンテナ、受信回路、駆動回路、表示パネル、及び電源をそれぞれ個別に配置して接続した表示装置が提案されている（例えば、特許文献１を参照。）。このように構成された表示装置として、外部装置からの無線入力を行うアンテナ／受信回路部の後方に、多数の入力信号線を有する駆動回路を複数個配置したアクティブマトリックス型の液晶表示装置が実用化されている。
【０００８】
図１０は、従来の無線入力による表示装置の構成を示す概念図である。図１０において、表示装置８０には外部装置（図示せず）から無線によって画像信号が送られる。送信された画像信号は、アンテナ８１及び受信部８２で受信され、入力信号線８３を介して受信部８２から駆動回路８４へ画像信号が出力される。駆動回路８４は、受け取った画像信号に基づいて表示パネル８５の画素を駆動する。また、別に設けられた電源部８６からは、電源出力線８７を介して、各ハードウェアへ電力が供給されている（特許文献１参照）。
【０００９】
表示パネル８５は、例えばＴＦＴ（スイッチング素子）、画素電極及び配線などが形成されたアレイ基板と、共通電極が形成されたカラーフィルタ基板とを有している。上述したように、このような表示パネル８５の画素が駆動回路８４によって駆動されることにより、画像情報のカラー表示を実現することができる。
【００１０】
以下、駆動回路８４の詳細な構成を説明する。
【００１１】
図１１は、従来の駆動回路の構成を示す概念図である。なお、図１０と同一の構成のものに対しては同一の符号を付している。図１１に示すように、アクティブマトリックス型の表示パネルのソース信号線側のドライバーＬＳＩである駆動回路８４は、タイミング発生回路８８、サンプリングホールド回路８９、及び出力バッファ回路９０が電気的に相互に接続されて構成されている。
【００１２】
駆動回路８４に対しては、入力信号線８３ａを介してＲＧＢ画像信号が入力される。タイミング発生回路８８からのサンプリングクロックに基づいて、入力された１水平走査期間のＲＧＢ画像信号がサンプリングホールド回路８９で順次サンプリングされる。そして、ＲＧＢ画像信号は、１水平走査期間サンプリングされた後に、出力バッファ回路９０で増幅され、図１０に示す表示パネル８５側の信号線（ソース線）へ出力される。また、電源出力線８７を介して、図１０の電源部８６から駆動回路８４へ電源電圧が供給される。図示していないが、表示パネル８５側の走査線（ゲート線）には、走査側駆動回路（ゲートドライバーＬＳＩ）により、水平走査信号が出力される。
【００１３】
このような従来の表示装置において、上述したように有線で画像信号が入力される場合と同じような高精細高解像度の表示をするためには、受信部８２に総数３０００×（４〜８ビット）×Ｒ、Ｇ、Ｂ本の入力信号線８３が配線され、かつ、３０×（４〜８ビット）×Ｒ、Ｇ、Ｂ本の多数の入力信号線８３ａを有する駆動回路８４を１００チップ程度配置して実装する必要がある。
【００１４】
しかし、これらの駆動回路８４を個々に実装することは極めて難しくなって扱いにくくなり、表示装置８０全体としての配線も複雑で剛直となる。すなわち、無線入力であるにもかかわらず、有線入力の場合と同様の問題が起きることになる。また、特許文献１に係る表示装置において、無線入力により高表示品位の高精細高解像度の表示をする場合には、高周波数信号を扱うために極めて高速の受信処理回路ＬＳＩが必要となる。この場合、必要な電力が大きくなり、高容量の電源が必要となるという問題もある。
【００１５】
上述の理由のため、フレキシブルディスプレイのような高精細高解像度表示をする表示装置としては、画像情報の入力を有線又は無線の何れで行う場合であっても、その配線ができる限り単純な駆動回路を備え、しかも低電力で動かすことができるものが望まれている。
【００１６】
また、別の従来技術として、非接触で画像情報を得て、その画像情報を表示することが可能な表示部を有する携帯型電子機器が提案されている。例えば、特許文献２には、アンテナ部及びＲＦ部からなる無線入力／受信部と、マイクロプロセッサ及び受信信号から電力を得る電源部を有するＩＣカードチップ部と、表示用の駆動回路を含めたＣＰＵと、表示装置とをそれぞれ個別に配置接続した、非接触ＩＣカードと表示装置との組み合わせによる携帯型電子機器が提案されている。このように構成された携帯型電子機器は、無線入力による受信信号により電力を得るように構成されており、無線によるデータ授受及びＩＣカード側でのデータ表示を実現することができる。
【特許文献１】特開平５−２０２３５８号公報（第２４−２５頁（００７１）、図２、図３）
【特許文献２】特開２００１−３４４５７８号公報（図１、図２、図９、図１０、図１１）
【発明の開示】
【発明が解決しようとする課題】
【００１７】
しかし、特許文献２に係る携帯型電子機器においても、高精細高解像度で表示する場合には、無線入力／受信部、駆動回路、及び表示パネルの配置関係が上述の特許文献１と同じ関係にあり、多数の入力信号線を有する駆動回路を多数個実装する必要がある。また、特許文献２に係る携帯型電子機器の場合、無線入力によるデータ信号から電力を得るため、１箇所の無線入力部のみによって信号を受信し、その信号を電力化している。したがって、このような携帯型電子機器の場合、高精細高解像度表示の表示装置を駆動させるために、無線入力による高容量の電源部を形成することは、実際上困難である。
【００１８】
上述したように、特許文献１や特許文献２では、無線入力部と、受信部と、表示用の駆動回路と、表示パネルとがそれぞれ個別に配置され接続されている。したがって、これらの従来技術を用いて、印刷品位の高い高解像度のフレキシブルディスプレイを実現するためには、多数の入力信号線を有する駆動回路を、従来よりもさらに多数個配置し実装する必要がある。このように駆動回路における入力信号線が多い場合、実装が極めて困難となり、扱いにくくなるという問題があった。
【００１９】
また、フレキシブルディスプレイでは、解像度が高いために、無線による画像信号の入力を行う場合には高速受信処理のＬＳＩ回路が必要になるため、必要な電力が大きくなり、高容量の電源が必要になるという問題があった。
【００２０】
本発明はこのような事情に鑑みてなされており、その目的は、入力信号線を設けないことにより容易に実装を行うことが可能となる表示パネル用の駆動回路、及びその駆動回路を備えた表示装置を提供することにある。
【課題を解決するための手段】
【００２１】
この目的を達成するために、本発明に係る表示装置は、画像情報を表示するための複数の画素を有する１枚の表示パネルと、外部から入力される前記画像情報を示す画像信号に応じて、前記複数の画素を駆動する複数の駆動回路とを備える表示装置において、前記画像信号は無線信号であり、前記無線信号から前記画像信号の一部を得る複数の無線入力部を備え、前記複数の駆動回路が、前記無線入力部により得た前記画像信号の一部に応じて、前記複数の画素の一部を駆動するように構成されていることを特徴とする。
【００２２】
前記発明に係る表示装置において、前記複数の駆動回路のそれぞれが、前記無線入力部を有しており、当該無線入力部により得た前記画像信号の一部に応じて、前記複数の画素の一部を駆動するように構成されていることが好ましい。
【００２３】
また、前記発明に係る表示装置において、前記無線信号はＲＦ信号であり、前記無線入力部は、前記ＲＦ信号を復調するように構成されていることが好ましい。
【００２４】
また、前記発明に係る表示装置において、前記複数の駆動回路が有する無線入力部のそれぞれは、受信周波数が互いに異なるように構成されていることが好ましい。
【００２５】
また、前記発明に係る表示装置において、前記駆動回路は、前記画像信号の一部を記憶する記憶部と、当該記憶部に記憶された前記画像信号の一部を変調して送信信号を生成する信号送信部と、当該信号送信部にて生成された送信信号を無線により出力する無線出力部とを更に備えることが好ましい。
【００２６】
また、前記発明に係る表示装置において、前記駆動回路のそれぞれには識別情報が割り当てられており、前記無線入力部は、前記識別情報に基づいて、前記無線信号から前記画像信号の一部を得るように構成されていることが好ましい。
【００２７】
また、前記発明に係る表示装置において、前記駆動回路は、大規模集積回路であることが好ましい。
【００２８】
さらに、前記発明に係る表示装置において、前記駆動回路は、薄膜トランジスタを含む薄膜デバイス回路からなることが好ましい。
【００２９】
また、本発明に係る情報処理システムは、画像情報を表示するための複数の画素を有する１枚の表示パネルと、外部から入力される前記画像情報を示す画像信号に応じて、前記複数の画素を駆動する複数の駆動回路とを備える表示装置と、前記画像信号を無線信号で送信する画像情報処理装置とを備える情報処理システムにおいて、前記表示装置は、前記無線信号から前記画像信号の一部を得る複数の無線入力部を備え、前記複数の駆動回路が、前記無線入力部により得た前記画像信号の一部に応じて、前記複数の画素の一部を駆動するように構成されていることを特徴とする。
【００３０】
前記発明に係る情報処理システムにおいて、前記複数の駆動回路のそれぞれが、前記無線入力部を有しており、当該無線入力部により得た前記画像信号の一部に応じて、前記複数の画素の一部を駆動するように構成されていることが好ましい。
【００３１】
また、前記発明に係る情報処理システムにおいて、前記画像情報処理装置は、前記無線信号を複数の無線信号に分割して異なる搬送周波数で送信するように構成されており、前記複数の駆動回路が有する無線入力部のそれぞれは、受信周波数が互いに異なるように構成されていることが好ましい。
【００３２】
さらに、前記発明に係る情報処理システムにおいて、前記画像情報処理装置は、前記駆動回路を識別するための識別情報を含む無線信号を送信するように構成されており、前記無線入力部は、前記識別情報に基づいて、前記無線信号から前記画像信号の一部を得るように構成されていることが好ましい。
【００３３】
また、本発明に係る駆動回路は、外部から入力される前記画像情報を示す画像信号に応じて、画像情報を表示するための画素を駆動する表示装置用の駆動回路において、前記画像信号は無線信号であり、前記無線信号から前記画像信号の一部を得る無線入力部を備え、当該無線入力部により得た前記画像信号の一部に応じて、前記画素を駆動するように構成されていることを特徴とする。
【００３４】
前記発明に係る駆動回路において、前記無線信号はＲＦ信号であり、前記無線入力部は、前記ＲＦ信号を復調するように構成されていることが好ましい。
【００３５】
また、前記発明に係る駆動回路において、受信した無線信号を電力エネルギーに変換する電源部を更に備えることが好ましい。
【００３６】
また、前記発明に係る駆動回路において、前記画像信号の一部を記憶する記憶部と、当該記憶部に記憶された前記画像信号の一部を変調して送信信号を生成する信号送信部と、当該信号送信部にて生成された送信信号を無線により出力する無線出力部とを更に備えることが好ましい。
【００３７】
また、前記発明に係る駆動回路において、識別情報が割り当てられており、前記無線入力部は、前記識別情報に基づいて、前記無線信号から前記画像信号の一部を得るように構成されていることが好ましい。
【００３８】
さらに、前記発明に係る駆動回路において、薄膜トランジスタを含む薄膜デバイス回路からなることが好ましい。
【００３９】
本発明の前記目的、他の目的、特徴、及び利点は、添付図面参照の下、以下の好適な実施態様の詳細な説明から明らかにされる。
【発明の効果】
【００４０】
本発明の駆動回路および表示装置は、入力信号線を設けないことにより容易に実装を行うことが可能となる。
【発明を実施するための最良の形態】
【００４１】
以下、本発明の実施の形態について図面を参照しながら詳細に説明する。
【００４２】
（実施の形態１）
図１は、本発明の実施の形態１に係る表示装置の構成を示す概念図である。図１に示すように、表示装置１は、画像情報を表示するアクティブマトリックス型の表示パネル２と、１水平走査期間における画像信号を出力し画素を駆動するソースドライバー部３と、水平走査信号を順次出力するゲートドライバー部４と、クロック信号並びに水平及び垂直同期信号を発生し、ソースドライバー部３及びゲートドライバー部４に対して出力するタイミング制御回路５とから少なくとも構成される。
【００４３】
アレイ基板６と、図示しないカラーフィルタ基板とが対向して配置され、それらアレイ基板６とカラーフィルタ基板との間に、例えばメモリー型表示方式である電気泳動ディスプレイ材料が配置されてなる電気泳動ディスプレイパネルなどが表示パネル２として採用し得る。なお、表示パネル２としては、このような電気泳動ディスプレイパネル以外でも、フレキシブルディスプレイとして用いることができるものであれば良い。
【００４４】
表示パネル２において、ソースドライバー部３に接続された複数の信号線（ソース線）７と、ゲートドライバー部４に接続された走査線（ゲート線）８とが互いに交差するようにして配置されている。図示しないが、その交差点９には、低温ポリシリコン薄膜形成技術などで形成されたＴＦＴ（スイッチング素子）と、透明電極又はＡｌ反射電極などからなる画素電極とが設けられている。このようにして、信号線７及び走査線８で区画された画素毎にスイッチング素子と画素電極とが形成されている。また、図示しないが、アレイ基板６と対向して設けられているカラーフィルタ基板側には共通電極が形成されている。
【００４５】
ソースドライバー部３には、画像情報を示す画像信号の一部であるＲＧＢの各画像信号をそれぞれ出力して画素を駆動する信号側の駆動回路１０が複数個配設されている。本実施の形態では、高精細高解像度表示するため、駆動回路１０として、チップ形状が小さいドライバーＬＳＩ（大規模集積回路）が１００個程度配設されている。なお、これらの駆動回路１０の信号出力端子（図示せず）と対応する信号線７とが結線されている。
【００４６】
ゲートドライバー部４には、走査側の駆動回路（ドライバーＬＳＩ）１１が複数個配置されている。なお、これらの駆動回路１１の走査信号出力端子（図示せず）と対応する走査線８とが結線されている。
【００４７】
このように構成された表示装置１では、タイミング制御回路５が、外部から入力された画像信号に応じて、ソースドライバー部３及びゲートドライバー部４にそれぞれ制御信号を出力する。これにより、ゲートドライバー部４の駆動回路１１が走査線８に走査信号を出力して各画素のスイッチング素子を順次オンさせ、一方、ソースドライバー部３の駆動回路１０がそのタイミングに合わせて信号線７を介して画像信号を各画素に順次入力する。その結果、各画素が駆動され、表示パネル２上に画像情報が表示される。
【００４８】
次に、ソースドライバー部３が有する信号側の駆動回路１０の詳細な構成について説明する。
【００４９】
図２は、本発明の実施の形態１に係る表示装置１のソースドライバー部３が有する駆動回路１０の構成を示すブロック図である。
【００５０】
図２に示すように、駆動回路１０は、無線信号Ｒである画像信号を入力するための無線入力部２２及び信号受信部２３を備える無線信号受取部Ａと、無線信号受取部Ａから出力された画像信号を処理する信号処理部２４と、信号処理部２４と接続されたタイミング発生回路２６及び信号出力部２５とを備えている。
【００５１】
また、駆動回路１０は、無線入力部２２と接続されている、後述する電源部３１を備えている。
【００５２】
以上のように構成された駆動回路１０において、無線入力部２２は、外部の装置である画像情報処理装置（図示せず）から、搬送周波数が順次及び／又は並列に変調されて無線信号Ｒで送信されてくる画像情報のＲＦ信号（ラジオ周波数信号）を受信する。この場合、無線入力部２２は、所定の１つの受信周波数にしたがってＲＦ信号の一部を受信し、その受信信号を信号受信部２３に出力する。
【００５３】
信号受信部２３は、無線入力部２２から入力された受信信号を復調し、その復調した信号を、ＲＧＢ画像信号の一部である受信データとして信号処理部２４に出力する。信号処理部２４は入力された受信データを信号処理し、信号データとして信号出力部２５に出力する。
【００５４】
タイミング発生回路２６には、クロック信号端子２７を介して上述したタイミング制御回路５から送られてくる基本クロック信号と、水平、垂直同期信号入力端子２８を介して同じく送られてくる水平、垂直同期信号とが入力される。そして、タイミング発生回路２６からは、同期信号出力端子２９を介して、隣り合う他の駆動回路１０へ同期信号が出力され、さらに信号出力部２５へ出力クロック信号が出力される。この際、信号処理部２４に設けられたサンプリングホールド回路（図示せず）において、タイミング発生回路２６から出力されたクロック信号にしたがい、入力された１水平走査期間の上記受信データを順次サンプリング処理する。その後、このサンプリング処理された受信データが、信号データとして、サンプリングホールド回路から信号出力部２５へ出力される。そして、信号出力部２５に設けられた出力バッファ回路（図示せず）により信号データを増幅する。このようにして増幅された信号データは、信号出力端子３０を介して、表示パネル２に設けられた信号線７に出力される。
【００５５】
また、電源部３１は、無線入力部２２から受信信号を取得し、その受信信号を電源電圧（エネルギー）に変換し、駆動回路１０の内部を動作させるために必要な電力を得る。
【００５６】
以上のように、駆動回路１０は、無線により画像信号の入力を受け付け、表示パネル２に信号データを出力する。
【００５７】
次に、上述したように、無線入力部２２及び信号受信部２３を備えた無線信号受取部Ａと電源部３１との詳細な構成について、図３を参照しながら説明する。
【００５８】
図３に示すように、無線信号受取部Ａが備える無線入力部２２は、コイル３２とコンデンサ３４とを備えるアンテナとして構成される。但し、無線入力部２２はこのような構成に限定されるわけではなく、無線入力できる構成であれば良い。この無線入力部２２は、外部の装置である画像情報処理装置から搬送周波数を順次及び／又は並列に変調されて無線で送信されてくる画像情報であるＲＦ信号を検波同調する。
【００５９】
信号受信部２３は、Ａ／Ｄ変換部３５と信号復調部３６とを備えている。無線入力部２２において所定の１つの受信周波数によって得られたアナログ受信信号は、信号受信部２３が備えるＡ／Ｄ変換部３５にてディジタル信号に変換される。そして、そのディジタル信号が信号復調部３６にて復調され、ＲＧＢ画像信号である受信データが得られる。このようにして得られた受信データは、信号受信部２３から信号処理部２４へ出力される。
【００６０】
また、図３に示すように、無線入力部２２と電源部３１との間には整流回路３７が設けられている。この整流回路３７において、無線入力部２２を介して入力された受信信号が整流され、電源部３１に対して出力される。
【００６１】
電源部３１は、図示しない平滑コンデンサを用いて、無線入力部２２から出力された受信信号を直流電源電圧（ＶＤＤ、ＶＳＳ）としての電力エネルギーに変換し、その電力エネルギーを駆動回路１０内部の各部へ供給する。
【００６２】
なお、電源部３１は、上述したような構成に限定されるわけではなく、無線入力部２２から出力された受信信号を電力エネルギーに変換することができるものであればよい。
【００６３】
このように、駆動回路１０を駆動させるための電力を、駆動回路１０内に設けた電源部３１によって発生させることにより、表示装置１全体に必要な電力を分担して供給することができる。なお、駆動回路１０に対して電力エネルギーを供給する電源部が駆動回路１０内に設けられており、その電源部による電力エネルギーの供給を、電源部３１が補助するような構成であってもよいことは言うまでもない。
【００６４】
以上のように、駆動回路１０は無線により画像信号の入力を行うため、外部装置から出力された画像信号の入力信号線が不要となる。そのため、駆動回路１０の実装が容易となる。その結果、高精細高解像度表示をするペーパーライクの表示装置１において、駆動回路１０の実装部分をコンパクト化することができる。その上、駆動回路１０であるＬＳＩチップが小さい形状となるため割れにくくなり、その結果、表示装置１全体を曲げても表示パネル２の表示不良が発生しにくくなる。
【００６５】
また、各駆動回路１０は、無線入力により表示装置１に必要な画像情報の一部のみをそれぞれ得る。これにより、ソースドライバー部３全体で画像情報のすべてを取得することになる。このように構成した場合、各駆動回路１０が扱う信号周波数を低くすることができるため、高精細高解像度の表示を行わないような従来の駆動回路と同レベルの電力で足りることになる。
【００６６】
上述したように、外部の画像情報処理装置から、搬送周波数を順次及び／又は並列に変調されて無線で送信されてくる画像情報であるＲＦ信号（ラジオ周波数信号）を、各駆動回路１０は、無線入力部２２を用いて互いに異なる受信周波数により受信信号の一部を受信する。そして、各駆動回路１０は、信号受信部２３を用いて、受信信号の一部から画像情報の一部をそれぞれ得て、表示パネル２の信号線７に出力する。そして、ソースドライバー部３の各駆動回路１０からの出力信号と、ゲートドライバー部４の各駆動回路１１からの走査信号とにより、表示パネル２の各画素が駆動され、所望の画像情報の全体が表示パネル２上に表示されることになる。
【００６７】
このように、画像情報の全体を表示するために必要な受信信号を各駆動回路に分割して入力することにより、高精細高解像度表示を低電力で動作させることが可能な表示装置を実現することができる。
【００６８】
本実施の形態の駆動回路１０の場合、無線入力部２２及び画素を駆動する信号出力部２５の両方が１個のＬＳＩに収められている構成であるが、本発明はこのような構成に限られるわけではない。すなわち、例えば、図４に示すように、少なくとも無線入力部（図示せず）と信号受信部（図示せず）を備えるＬＳＩ８０と、少なくとも信号出力部（図示せず）を備える複数のＬＳＩ８１とが接続されて駆動回路１０が構成されていてもよい。図４には、１個のＬＳＩ８０及び３個のＬＳＩ８１を１つのブロックとしたブロック単位で駆動回路１０が構成されている例が示されている。このように構成した場合、図１を参照して説明した構成の場合と比べて配線数は増えるものの、従来のように無線受信回路が１つの場合と比べると配線数は少なく、またブロック毎に分割処理することにより無線回路の負荷が減る効果が得られる。
【００６９】
［変形例１］
図５は、本発明の実施の形態１の変形例１に係る表示装置のソースドライバー部が有する駆動回路の一部の構成を示すブロック図である。なお、図２及び図３に示す本実施の形態の場合と同一の構成のものには同一の符号を付している。
【００７０】
変形例１に係る表示装置において、図１及び図３に示す構成と異なるのは、無線入力による駆動回路１０内の無線信号受取部Ａに設けられた信号送信部４１と、信号処理部２４に設けられた記憶部（バッファメモリー）４２と、無線出力部４６とが備えられていることである。
【００７１】
記憶部４２は、信号受信部２３から出力された画像信号データである受信データを記憶する。そして、信号処理部２４内のサンプリングホールド回路４３は、記憶部４２に記憶されている受信データを受けて所定の信号処理を実行する。
【００７２】
信号送信部４１は、信号変調部４４とドライブ４５とを備えている。この信号送信部４１には、信号処理部２４内の記憶部４２から出力された画像信号データが送信データとして入力される。そして、信号送信部４１内の信号変調部４４で入力された送信データを変調し、ドライブ４５で増幅させた送信信号を、アンテナである無線入力部２２と共用とした無線出力部４６から、画像情報の一部として無線出力する。なお、この無線出力部４６は、無線入力部２２と共用とせずに別々に設けても良い。
【００７３】
また、各駆動回路１０には、固有の識別番号等の識別情報が割り当てられており、この固有の識別情報を示すＩＤコードデータを所定の記憶部に記憶している。これにより、画像情報処理装置又は他の表示装置から画像信号を出力するときにＩＤコードデータを併せて出力することにより、画像情報処理装置又は他の表示装置と指定されたＩＤコードデータによって識別される駆動回路１０との間で該当する画像信号を正しく送受信することができるようになる。また、画像情報処理装置からは、指定されたＩＤコードデータによって識別される特定の駆動回路１０のみに画像情報を送信でき、対応する表示画面の一部のみを更新することもできる。これにより、画像の更新に要する時間及び電力を削減することができる。この効果は、特に、電気泳動などの不揮発性の表示方式の場合において顕著である。
【００７４】
［変形例２］
図６は、本発明の実施の形態１に係る表示装置のソースドライバー部が有する駆動回路の一部の他の構成を示すブロック図である。なお、図５に示す変形例１の場合と同一の構成のものには同一の符号を付している。
【００７５】
図５に示すように、変形例１に係る表示装置の駆動回路においては、信号処理部に記憶部が設けられている。これに対して、図６に示すように、変形例２に係る表示装置の駆動回路においては、無線信号受取部Ａ内に記憶部４２が設けられている。
【００７６】
変形例２に係る表示装置の駆動回路において、信号受信部２３は、画像信号データである受信データを信号処理部２４に出力するとともに、駆動回路１０に設けられた記憶部４２にも記憶させる。
【００７７】
信号送信部４１は、記憶部４２に記憶された画像信号データを送信データとして入力し、変調増幅して無線出力部４６に送信信号を出力する。そして、無線出力部４６から画像情報の一部として送信信号が無線出力される。
【００７８】
以上のように、変形例１及び変形例２に係る表示装置の駆動回路の場合、駆動回路内部に設けられた記憶部に記憶された画像信号データを送信データとして読み出し、画像情報の一部を無線（ＲＦ信号）によって出力することができる。これにより、画像情報処理装置又は他の表示装置に対して、各駆動回路が分担表示する画像情報を無線出力することが可能になる。
【００７９】
なお、上述した本実施の形態において、ソースドライバー部３の駆動回路１０及びゲートドライバー部４の駆動回路１１はＬＳＩ（大規模集積回路）から構成されると説明したが、低温ポリシリコン技術などの薄膜形成プロセスによって、少なくともＴＦＴ（薄膜トランジスタ）などを含む薄膜デバイス回路から構成されるようにしてもよい。この場合、表示装置１における表示パネル２の画素単位ごとに設けられたスイッチング素子であるＴＦＴ、画素電極、及び配線などをアレイ基板６に形成する薄膜形成プロセスにおいて、少なくとも駆動回路１０、１１とアレイ基板６とを一括して作製することができる。
【００８０】
図１２は、低温ポリシリコン技術により作成されたＣＭＯＳトランジスタの構成を示す断面図である。ＣＭＯＳトランジスタの場合、図１２に示すとおり、ｐ型トランジスタ１００とｎ型トランジスタ１０１とから構成されている。図１２に示すように、このＣＭＯＳトランジスタは、ガラスなどの絶縁基板１０２上に、エキシマレーザーアニールで多結晶化したシリコン薄膜にボロンをドープしたソース１０３、ドレイン１０５、燐をドープしたソース１０６、ドレイン１０８、およびチャネル層１０４、１０７が形成されている。また、ｎ型トランジスタ１０１における絶縁基板１０２上には、ドープ量の少ないＬＤＤ領域１０９、１１０が形成されている。その上に窒化シリコンからなるゲート酸化膜１１１，１１２、チタンおよびアルミの積層膜で構成したゲート電極１１３，１１４が積層されている。また、絶縁膜１１５には開口部が設けられており、その開口部にはソース、ドレインの取り出し電極１１６が形成されている。そして、これらを覆うようにして、保護膜１１７，１１８が積層されている。このようなｐ型およびｎ型トランジスタを接続することにより、薄膜トランジスタを含む薄膜デバイス回路からなる本発明に係る駆動回路１０，１１を実現することができる。なお、図１３には、このようにして実現される駆動回路１０，１１を構成するロジック回路の基本となるインバータの回路図の一例が示されている。
【００８１】
このようにＴＦＴを用いて作製される駆動回路において、液晶ディスプレイ用と同様のトランジスタ及びキャパシタに加えて、ゲート及びソース配線を平面コイル状に形成してインダクタンスを設ければ、上述した本実施の形態に係る表示装置の駆動回路を構成することができる。
【００８２】
ところで、ＴＦＴの場合、シリコンのＬＳＩよりもキャリア移動度が１／５程度と低く、高周波に対応できない欠点がある。しかしながら、本発明の場合、駆動回路を複数設けることにより、処理周波数を低減することができる。したがって、高精細ディスプレイの場合であっても、ＴＦＴを用いたドライバー回路を実現しやすいという利点がある。その結果、外部との接続配線が不要な表示装置を、ＴＦＴプロセスのみで形成することも可能になる。
【００８３】
（実施の形態２）
図７(Ａ)は、本発明の実施の形態２に係る表示装置の構成を示す平面図であり、図７(Ｂ)は、その構成を示す断面図である。図７(Ａ)及び図７(Ｂ)に示すように、表示装置６０が備えるアレイ基板６の裏面側に、表示装置用無線入力アンテナ部６１と表示装置用伝下部６２とが設けられている。表示装置用無線入力アンテナ部６１を介して取得された受信信号は、表示装置用電源部６２において電力エネルギー（電源電圧）に変換される。
【００８４】
このように構成された表示装置６０の場合、表示装置用電源部６２から電力の供給又はその補助を受け、駆動回路１０、１１等を動作させることができる。
【００８５】
なお、実施の形態２に係る表示装置の実施の形態１と同様の構成については同一符号を付して説明を省略する。
【００８６】
実施の形態２に係る表示装置６０の場合、表示装置用無線入力アンテナ部６１を介して受信信号を入手し、表示装置用電源部６２にてその受信信号を電源電圧に変換することにより、表示装置６０で不足している電力を補助的に供給するようなことが可能となる。その結果、無線入出力が可能な表示装置を安定して動作させることができる。特に、無線出力する場合には電力消費が大きく動作が不安定になる可能性が高いため、このように表示装置を安定して動作させることの意義は大きいと考えられる。
【００８７】
次に、この実施の形態２に係る表示装置６０を備えた情報処理システムについて説明する。
【００８８】
図８は、本発明の実施の形態２に係る表示装置６０を備えた情報処理システムの構成を示す概念図である。なお、図８において、第７図と同様の構成のものについては同一符号を付している。
【００８９】
図８に示すように、情報処理システム７０は、画像情報処理装置７１と表示装置６０とを備えている。
【００９０】
上述したように、表示装置６０においては、表示装置用電源部６２を用いて電力の供給又はその補助を受け、その電力を利用して駆動回路１０、１１等を動作させる。
【００９１】
ソースドライバー部３が備える各駆動回路１０は、画像情報処理装置７１から搬送周波数ｆ１、ｆ２、…、ｆｎと順次及び／又は並列に変えて変調されて無線で送られてくる画像情報を受信する。説明の便宜上、搬送周波数ｆ１、ｆ２、…、ｆｎで送信される画像情報を受信する駆動回路１０をそれぞれ駆動回路Ｄ１、Ｄ２、…、Ｄｎと表すことにする。駆動回路Ｄ１、Ｄ２、…、Ｄｎからの画像信号である出力信号と、各駆動回路１１からの走査信号により、表示パネル２の各画素が駆動され、所望の画像情報の全体が表示パネル２上に表示される。
【００９２】
このように無線出力が可能な各駆動回路Ｄ１、Ｄ２、…、Ｄｎは、それぞれの内部に設けられた記憶部（図示せず）に記憶された画像信号データを送信データとしてそれぞれ読み出す。そして、各駆動回路Ｄ１、Ｄ２、…、Ｄｎは、送信データを、搬送周波数ｆ１、ｆ２、…、ｆｎにそれぞれ変調し、無線によって画像情報の一部をそれぞれ出力する。これにより、表示装置６０は、画像情報処理装置７１又は別の表示装置に対して、高精細の画像情報の全体又はその一部を送信することができる。
【００９３】
上述したような情報処理システム７０の場合、画像情報処理装置７１と表示装置６０との間で、搬送周波数を順次及び／又は並列に変調して、無線で画像信号を送受信することにより、画像情報処理装置７１と表示装置６０との間での無線による画像情報のやりとりが可能になる。
【００９４】
画像情報処理装置７１は、少なくとも、表示すべき画像情報を生成又は外部から獲得する手段と、無線による画像情報の発信手段とを備えた装置である。例えば、パーソナルコンピュータ、ＰＤＡ等のモバイル機器、及びその他の情報発信装置等の機器が画像情報処理装置７１となり得る。このような画像情報処理装置７１から無線により出力された画像情報を表示装置６０で受信することにより、高精細の画面を、観察者の手元で容易に見ることができる情報処理システム７０を実現することができる。
【００９５】
なお、画像情報処理装置７１と表示装置６０とが、各々独立した機器でなく、同一の機器の構成要素であってもよい。例えば、従来の様々なモバイル機器では、機器の小型化を図るために、例えばディスプレイパネルと他の構成要素との間を電気的に接続するために、折り畳み可能なフレキシブル基板を用いる等している。このような場合、非常に複雑な配線を行わなければならない。そこで、モバイル機器が、表示装置６０と、その表示装置６０に画像情報を送信する画像情報処理装置７１とを備え、これらの表示装置６０と画像情報処理装置７１が無線により画像情報の送受信を行うことにより、複雑な配線を行う必要がなくなる。その結果、機器を小型化することができ、しかも構造が簡略化されることにより低コスト化を図ることも可能になる。
【００９６】
図９は、本発明の実施の形態２に係る表示装置６０を備えた情報処理システムの他の構成を示す概念図である。なお、図９において、第７図と同様の構成のものについては同一符号を付している。
【００９７】
図９に示すように、情報処理システム７０は、複数の画像情報処理装置７１と、複数の表示装置６０とを備えている。各表示装置６０のソースドライバー部が備える各駆動回路１０（上述した場合と同様に駆動回路Ｄ１、Ｄ２、…、Ｄｎと表す）に対しては、固有の識別情報が割り当てられている。各駆動回路Ｄ１、Ｄ２、…、Ｄｎは、その識別情報を示すＩＤコードデータを所定の記憶部に記憶している。
【００９８】
各画像情報処理装置７１はそれぞれ、特定のＩＤコードデータと共に、搬送周波数ｆ１、ｆ２、…、ｆｎと順次及び／又は並列で変えて変調した画像情報を無線で送信する。この場合、各駆動回路Ｄ１、Ｄ２、…、Ｄｎは、予め割り当てられているＩＤコードデータと一致するＩＤコードデータが付された画像情報を受信する。そして、各表示装置６０において、各駆動回路Ｄ１、Ｄ２、…、Ｄｎから出力される画像信号と、各駆動回路１１から出力される走査信号とにしたがって、表示パネル２の各画素が駆動され、所望の高精細高解像度の画像情報の全体が表示パネル２上に表示されることになる。
【００９９】
また、各表示装置６０において、駆動回路Ｄ１、Ｄ２、…、Ｄｎが、それぞれの内部に設けられた記憶部（図示省略）に記憶された画像信号データを送信データとして読み出される。そして、送信データを搬送周波数ｆ１、ｆ２、…、ｆｎに変調し、無線によって画像情報の一部をそれぞれ駆動回路Ｄ１、Ｄ２、…、Ｄｎの固有のＩＤコードデータと共に出力する。これにより、画像情報処理装置７１と表示装置６０との間、及び表示装置６０と他の表示装置６０との間で、高精細の画像情報の全体又はその一部を、誤り無く、正確に送受信することができる。
【０１００】
このように、上述した情報処理システム７０の場合、各表示装置６０の駆動回路１０がそれぞれ固有のＩＤコードデータを有していることにより、各画像情報処理装置や各表示装置との間で、画像信号を誤り無く送受信できるようになる。また、画像情報処理装置からは、指定されたＩＤコードデータによって識別される特定の駆動回路１０のみに画像情報を送信でき、対応する表示画面の一部のみを更新することもできる。これにより、画像の更新に要する時間及び電力を削減することができる。この効果は、特に、電気泳動などの不揮発性の表示方式の場合において顕著である。
【０１０１】
なお勿論、上記の方法により、画像情報処理装置又は指定されたＩＤコードデータ以外のＩＤコードデータによって識別される駆動回路若しくはＩＤ群を持つ表示装置との間では、互いに該当する画像情報を送受信不可とし、情報交換をしないように設定することができる。
【０１０２】
また、上記で表示装置及び情報処理システムに使用する表示装置用の駆動回路として、無線入出力ができる駆動回路を使用して説明したが、無線入力のみができる駆動回路を使用しても、画像情報が片方向のみに伝達される表示装置及び情報処理システムとして、同様に実施可能である。
【０１０３】
なお、以上の各実施の形態に係る表示装置は、無線で変調搬送されたアナログ信号を受信してＡ／Ｄ変換し、その後復調し、ディジタル処理するように構成されていたが、無線で変調搬送されたディジタル信号を受信し、Ａ／Ｄ変換を経ずに、復調し、ディジタル処理するようなディジタル信号方式であってもよい。
【０１０４】
また、以上の各実施の形態においては、本発明の表示装置としてアクティブマトリックス型のものを説明したが、パッシブマトリックス型（単純マトリックス型）のものであってもよいことは言うまでもない。
【０１０５】
また、以上の各実施の形態においては、フレキシブルディスプレイパネルとして、電気泳動ディスプレイパネル（ＥＰＩＤ）を用いて説明したが、メモリー型表示方式である液相型ＥＰＩＤ、液晶表示パネル（ＬＣＤ）、エレクトロクロミック表示パネル（ＥＣＤ）、及びエレクトロデポジション表示パネル等、並びに非メモリー表示方式である液晶表示パネル（ＬＣＤ）、有機エレクトロルミネッセンス表示パネル（有機ＥＬ）等であってもよい。
【０１０６】
さらに、本発明の表示装置は、フレキシブルディスプレイに限定されるわけではなく、従来のＬＣＤ等のガラスのディスプレイであってもよい。
【０１０７】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１０８】
本発明に係る表示装置は、表示品位が高い高解像度のフレキシブルディスプレイ等として有用であり、本発明に係る駆動回路は、そのようなフレキシブルディスプレイ等の駆動回路として有用である。
【図面の簡単な説明】
【０１０９】
【図１】本発明の実施の形態１に係る表示装置の構成を示す概念図である。
【図２】本発明の実施の形態１に係る表示装置のソースドライバー部が有する駆動回路の構成を示すブロック図である。
【図３】無線信号受取部及び電源部の詳細な構成を示すブロック図である。
【図４】本発明の実施の形態１に係る表示装置の他の構成を示す概念図である。
【図５】本発明の実施の形態１の変形例１に係る表示装置のソースドライバー部が有する駆動回路の一部の構成を示すブロック図である。
【図６】本発明の実施の形態１の変形例２に係る表示装置のソースドライバー部が有する駆動回路の一部の構成を示すブロック図である。
【図７（Ａ）】本発明の実施の形態２に係る表示装置の構成を示す平面図である。
【図７（Ｂ）】本発明の実施の形態２に係る表示装置の構成を示す断面図である。
【図８】本発明の実施の形態２に係る表示装置を備えた情報処理システムの構成を示す概念図である。
【図９】本発明の実施の形態２に係る表示装置を備えた情報処理システムの他の構成を示す概念図である。
【図１０】従来の無線入力による表示装置の構成を示す概念図である。
【図１１】従来の駆動回路の構成を示す概念図である。
【図１２】低温ポリシリコン技術により作成されたＣＭＯＳトランジスタの構成を示す断面図である。
【図１３】駆動回路を構成するロジック回路の基本となるインバータの回路図である。
【符号の説明】
【０１１０】
１  表示装置
２  表示パネル
３  ソースドライバー部
４  ゲートドライバー部
５  タイミング制御回路
６  アレイ基板
７  信号線
８  走査線
９  交差点
１０  駆動回路
１１  駆動回路
２２  無線入力部
２３  信号受信部
２４  信号処理部
２５  信号出力部
２６  タイミング発生回路
３０  信号出力端子
３１  電源部
３２  コイル
３４  コンデンサ
３５  Ａ／Ｄ変換部
３６  信号復調部
３７  整流回路
４１  信号送信部
４２  記憶部
４３  サンプリングホールド回路
６０  表示装置
６１  表示装置用無線入力アンテナ部
６２  表示装置用電源部
７０  情報処理システム
７１  画像情報処理装置
８０  ＬＳＩ
８１  ＬＳＩ
Ａ  無線信号受取部
【手続補正３】
【補正対象書類名】図面
【補正対象項目名】全図
【補正方法】変更
【補正の内容】
【図１】
2004095406.tif 000016
【図２】
2004095406.tif 000017
【図３】
2004095406.tif 000018
【図４】
2004095406.tif 000019
【図５】
2004095406.tif 000020
【図６】
2004095406.tif 000021
【図７（Ａ）】
2004095406.tif 000022
【図７（Ｂ）】
2004095406.tif 000023
【図８】
2004095406.tif 000024
【図９】
2004095406.tif 000025
【図１０】
2004095406.tif 000026
【図１１】
2004095406.tif 000027
【図１２】
2004095406.tif 000028
【図１３】
2004095406.tif 000029
【国際調査報告】
2004095406.tif 000030
2004095406.tif 000031
2004095406.tif 000032
2004095406.tif 000033